(57)【要約】      （修正有）【課題】自宅、施設等での設置可能な構造で、入浴作業における介護者の浴槽までの移動作業の軽減と、入浴者の座位の安定による安全の確保など入浴時、洗髪時に与える不快感と浴室浴槽内での便汚染を解消し、寝たきり老人や障害者の要介護者などの災害時の移動など、利用効率の高い省力で安全な介護を可能とする。【解決手段】左右縦フレームと上下横フレームとで担架本体を構成し、この担架本体に入浴者が寝るハンモックを装備し、更にこの担架本体が斜状に浴槽内に設置される様に、上端を水平支柱に引掛けて浴室から浴槽内間に左右移動可能とした介護用入浴装置。【選択図】図４
0003115716.tif 000002
【実用新案登録請求の範囲】
【請求項１】
左右縦フレームと、このフレームを連結する上下横フレームとで、担架本体を構成し、この担架本体に入浴者が寝るハンモックを装備し、更にこの担架本体が斜状に設置される様担架本体の下端を着座させ、且つ先端を壁体に固定された水平支柱に、左右移動可能に引掛けて成り、予め入浴者を浴槽外の位置にてハンモックに収納した状態から担架本体を水平移動させて、ハンモックと共に入浴者を浴槽に移行させたことを特徴とした介護用入浴装置。
【請求項２】
請求項１記載の介護用入浴装置において、担架本体フレーム及び本体引掛け移動パイプにおいては、発泡ウレタン又は、軟管ゴム等の緩衝ガードにて覆われており、担架本体上横フレームは凹状に形製されて成り、この凹部中央部には、首受け板を設け、前後に傾くハンモック状に形成された、ネツト着座部に便受け袋を設け、浴槽内、外の便汚染の解消左右縦フレームの下横フレーム接続部外側に車輪を設け、移動可能にした。
【請求項３】
担架本体にハンモック状にネットを張つた、左右縦フレームの胸部と足部に固定ベルトを設け、腰部ベルトにおいては、着座部がより密着する様、固定ベルトを設け装着固定し安定する、担架本体に被介護者を乗せ、付属ベルト三点にて接続固定し、担架本体上下の両端を介護者にて持上げ水平移動を安易におこなえる様に考案された物である。
【考案の詳細な説明】
【技術分野】
【０００１】  本考案は自宅、或は施設等での要介護者の入浴が安易に行える様にした介護用入浴装置に関する。
【背景技術】
【０００２】  現在、自宅や施設等で寝たきり老人や障害者の入浴時の居室から浴槽までの移動作業が困難である、入浴者による浴槽内外での便汚染による他者への不快感を与えること、介護者による浴槽内での抱きかかえ入浴による介護者の体力の消耗、又、災害時などによる介護者による要介護者の移動手段など困難である、現在考案されている介護用入浴椅子は、硬い素材の椅子が多く座位の安定が保たれない、洗髪時、身体洗浄時と浴槽内などでの座位不安定や、介護度の高い入浴者の機械浴での入浴法は、精神的、肉体的にも苦痛であり、準備及び片付けに時間を要する、大型で単機能的装置は多く見られるが、自宅、施設等での設置可能で小型化し、多機能一体化された介護用入浴装置は見られない。
【考案の開示】
【考案が解決しようとする課題】
【０００３】  自宅、施設等での設置可能な構造で、入浴作業における介護者の浴槽までの移動作業の軽減と、入浴者の座位の安定による安全の確保など入浴時に与える不快感と浴室浴槽内での便汚染を解消し、寝たきり老人、障害者の要介護者などの災害時の移動など、利用効率の高い省力で安全な介護を可能とする。
【課題を解消するための手段】
【０００４】  以上の課題を解消するために本考案は、左右縦フレームと上下横フレームとで担架本体を構成し、この担架本体に入浴者が寝るハンモックを装備し、更にこの担架本体が斜状に浴槽内に設置される様に、上端を水平支柱に引掛けて浴室から浴槽内間に左右移動可能とした介護用入浴装置。
【考案の効果】
【０００５】  （１）請求項１により、浴室にてハンモックに寝かされた要介護者が担架本体と共にそのままの状態で隣接する浴槽内に移し変え、入浴させることが出来るので、この作業を全面的に人手に頼っていたものに比べ、作業負担が軽減される。
（２）請求項２により、ハンモックと共に担架本体の浴室から浴槽内への移動は、上端が水平支柱に引掛けられているから、上端を中心に下側グリップ部を持ち上げて行えばよく、作業も一段と楽になる。
（３）請求項３により、担架本体の下端に車輪を装備し移送用台車としたから、予め浴室外（病室、或は準備室等）で入浴者をハンモックに収納して準備しておきそのまま入浴者を浴室に移送させることが出来、作業も手際よく行える。
【考案を実施するための最良の形態】
【０００６】  以下本考案を実施の形態を示す図面に基づいて説明する。図１は本考案介護用入浴装置の全体を示す平面図である。図に示す担架本体Ｈは、浴室Ｙの壁面Ｗに固定された水平支柱１に上端支持される。具体的には左右のステンレス製の縦フレーム２、２とこのフレーム２、２を連結する上フレーム３と下フレーム５とでＨ型に形成されている。又、必要に応じ上フレーム３と下フレーム５の間に中間補強フレーム４を設けて、この左右縦フレーム２、２、中間フレーム４、上フレーム３、下フレーム５には入浴者が横たわるネット６がハンモックＭに装備され張られている。又、左右縦フレーム２、２の中間部に入浴者が握る、握りグリップ７を設けており、又、左右縦フレーム２、２、上フレーム３、中間フレーム４、下フレーム５は発泡ウレタン、又は、ゴム等の緩衝ガードＳにて覆われている。この左右縦フレーム２、２の上端の引掛け部９が浴室壁面Ｗにて設置されている水平支柱１に水平移動パイプ１０に引掛け、担架本体Ｈの左右縦フレーム２、２の上端が水平移動パイプ１０から外れない様、図５に示す様に、バネ９ａにて外方向に弾圧されると共に、ヒンヂ９ｂにて反転自在となっている補助フック９ｃの突出にて水平移動パイプ１０を抱き込み、引掛け補助フック９ｃにて水平移動パイプ１０に引掛けて補助フック９ｃにて固定し、図２に示す様に隣接する浴槽内Ｅに水平移行し、左右縦フレーム２、２の深さ調節部１１で浴槽内Ｅにて、入浴者が半身浴状態になる様、深さを調節し、これら如く左右に移行し引き上げる様になっている。具体的には、左右縦フレーム２、２の上端引掛け部９を半円状に曲げ、図１に示す様に、水平移動パイプ１０パイプ部に、引掛け部９が掛かる周囲には滑り止め効果の高い樹脂で覆われておりより密着安定し、補助フック９ｃで固定することにより、水平支柱１から本体Ｈがずれにくくなっている。本体左右フレーム２、２に連結する。図６に示す様に、上フレーム３を凹状に整形し、中央部に首受け板１２の板の側面１２ｂは硬い素材でできており、その板１２の上部１２ａを軟性樹脂で覆った首受け板１２左右の突出部１２ｃを上フレーム３中央左右の穴３ａに接続し、前後に動く様になっている。図１に示すネット６の座位部に図７に示す様に、陰部ゴムパット１３はゲル状軟樹脂でできたパットを円形に整形し、下部の便受け袋取り付け部１３ａは、軟樹脂にて凸状に整形され図７の便受け袋１４の上部１４ａは硬管樹脂にて整形され、袋取り付け止め具１４ａを１３ａに取り付け、止め具１４ａにて抱き込みとめる様になっている、その下部につながる袋状１４ｃの物には、汚物が入るため、外側から中身が見えない様に考慮してある。図４に示す便受け袋１４の様にその袋下部先端を図７に示す袋閉じ具１５にて止める使用時状態を示すものである。図１、図２、図４に示す如く、常にこの担架本体Ｈが斜状に設置される様、左右縦フレーム２、２下端着座部２ａにずれ防止ゴム２０、下側グリップ２１を設ける。左右縦フレーム２、２の下部左右に車輪８を設ける。図１、図４においては車輪は床には着かず、浮いた状態になっている。図３に示す胸部ベルト１６、足部ベルト１８においては、左右縦フレーム２、２のフレームにベルトを取り付���る、腰部ベルト１７においては、陰部ゴムパット１３に陰部がより密着する様、左右縦フレーム２、２より内側寄りネット６に腰部ベルト１７を取り付ける、図１、図２、図４において、本体Ｈ上での座位安定と浴槽内での浮き上がり防止ベルト１６、１７、１８装着する。図３に示す様に、本体Ｈに要介護者を乗せ左右縦フレーム２、２の腰部ベルト１７、足部ベルト１８にて固定する、付属ベルト１９ｂにて胸部を固定し、胸部ベルト１６に付属ベルト１９ａを接続し首に掛け左右縦フレーム２、２の引掛け部９を介護者にて持ち上げ車輪８にて移動する。図３に示す様に、本体Ｈに要介護者を乗せ腰部ベルト１７にて固定し胸部を付属ベルト１９ｂにて固定し、付属ベルト１９ａにて胸部ベルト１６に接続し介護者の肩に掛け、左右縦フレーム２、２の引掛け部９を持つ、足部ベルト１８に付属ベルト１９ｃを接続し介護者の首に掛け、左右縦フレーム２、２の下側グリップ２１を介護者が持ち担架としても移動でき、安全に移動を可能にした介護入浴装置である。
【図面の簡単な説明】
【０００８】
【図１】  本考案の介護用入浴装置本体の全体を示す平面図である。
【図２】  介護用入浴装置本体を隣接する浴槽内に移動し深さ調節した平面図である。
【図３】  本体取り付けベルトと付属ベルト三本による接続着用例図である。
【図４】  水平移動パイプに引掛け床滑り止めゴム着座部を示す側面図である。
【図５】  補助フック二例の断面図である。
【図６】  上フレームと首受け板の正面断面図である。
【図７】  陰部ゴムパットの側面図と便受け袋の袋取り付け止め具の平面図及び袋閉じ具を示す図である。
【符号の説明】
【０００９】  １    水平支柱                １６    胸部ベルト
２    左右縦フレーム          １７    腰部ベルト
３    上フレーム              １８    足部ベルト
４    中間補強フレーム        １９    付属ベルト
５    下フレーム              ２０    ずれ防止ゴム
６    ネット                  ２１    下側グリップ
７    握りグリップ
８    車輪
９    引掛け部
１０  水平移動パイプ
１１  深さ調節部
１２  首受け板
１３  陰部ゴムパット
１４  便受け袋
１５  袋閉じ具
【図１】
0003115716.tif 000003
【図２】
0003115716.tif 000004
【図３】
0003115716.tif 000005
【図４】
0003115716.tif 000006
【図５】
0003115716.tif 000007
【図６】
0003115716.tif 000008
【図７】
0003115716.tif 000009
【手続補正書】
【提出日】平成17年7月20日(2005.7.20)
【手続補正１】
【補正対象書類名】実用新案登録請求の範囲
【補正対象項目名】全文
【補正方法】変更
【補正の内容】
【実用新案登録請求の範囲】
【請求項１】
左右縦フレームと、このフレームを連結する上下横フレームとで、担架本体を構成し、この担架本体に入浴者が寝るハンモックを装備し、更にこの担架本体が斜状に設置される様担架本体の下端を着座させ、且つ先端を壁体に固定された水平支柱に、左右移動可能に引掛けて成り、予め入浴者を浴槽外の位置にてハンモックに収納した状態から担架本体を水平移動させて、ハンモックと共に入浴者を浴槽に移行させたことを特徴とした介護用入浴装置。
【請求項２】
担架本体のフレーム及び水平支柱の水平移動パイプは、発泡ウレタン又は軟管ゴム等の緩衝ガードにて覆われ、担架本体の上側横フレームは凹状に形成されて成り、この凹部中央部には首受け板を設けると共に、ハンモックの着座部に便受け袋を備え、更に担架本体の左右縦フレームの下部左右に車輪を設けて移動可能にしたことを特徴とした請求項１記載の介護用入浴装置。
【請求項３】
担架本体の左右縦フレームに胸部と足部との固定ベルトを設けたことを特徴とした請求項１〜２記載の介護用入浴装置。
【手続補正２】
【補正対象書類名】明細書
【補正対象項目名】考案の効果
【補正方法】変更
【補正の内容】
【考案の効果】
【０００５】
（１）請求項１により、浴室にてハンモックに寝かされた要介護者が担架本体と共にそのままの状態で隣接する浴槽内に移し変え、入浴させることが出来るので、この作業を全面的に人手に頼っていたものに比べ、作業負担が軽減される。
（２）請求項２により、ハンモックと共に担架本体の浴室から浴槽内への移動は、上端が水平支柱に引掛けられているから、上端を中心に下側グリップ部を持ち上げて行えばよく、作業も一段と楽になり、しかも担架本体の下端に車輪を装備し移送用台車としたから、予め浴室外（病室、或は準備室等）で入浴者をハンモックに収納して準備しておきそのまま入浴者を浴室に移送させることが出来、作業も手際よく行える。
（３）請求項３により、入浴者の移動、入浴時においても安全に作業が行える。